(57)【要約】【課題】ソフトコンタクトレンズ（ＳＣＬ）を取り出す際に、ＳＣＬが常に保持部材のレンズ台座部上に付着するようにすることにより、内面側に指が触れることなく、従って指の汚れや細菌が付着したり、指先の爪により損傷を受けたりする恐れがなく、ＳＣＬの装用が出来るようにしたＳＣＬ用収納ケースを提供する。【解決手段】ＳＣＬ１８が収納、保持されるレンズ収納室２０を備えたレンズホルダ１６が、ＳＣＬ１８のベースカーブよりも小さな曲率半径を有し且つ平滑な湾曲凸面とされた、ＳＣＬ１８が載置されるドーム状のレンズ台座部３４を有する保持部材２２と、レンズ収納室形成部位に液体の流通は許容するが、ＳＣＬの通過は阻止する通液孔４２が設けられている覆蓋部材２４とを備え、容器本体１２の内部に挿入されて、液体に浸漬されるようにした。【選択図】図１
2018068871.tif 000002
【特許請求の範囲】
【請求項１】
所定の液体が収容される有底筒形状の容器本体と、該容器本体の開口部に着脱可能に取り付けられて、該容器本体の内部に密閉空間を形成し得るキャップ部材と、該キャップ部材の内側に取り付けられ、該キャップ部材から垂下するように延びる、ソフトコンタクトレンズが収納、保持されるレンズ収納室を備えたレンズホルダとを有するソフトコンタクトレンズの収納ケースにして、
前記レンズホルダが、前記キャップ部材の内側に位置固定に保持されるホルダ本体と、該ホルダ本体に対して回動可能に設けられ、前記ソフトコンタクトレンズのベースカーブよりも小さな曲率半径を有し且つ平滑な湾曲凸面とされた、該ソフトコンタクトレンズが載置されるドーム状のレンズ台座部を有する保持部材と、該保持部材に重ね合わされて、該保持部材のレンズ台座部上に前記レンズ収納室を形成すると共に、該レンズ収納室形成部位に前記液体の流通は許容するが、該ソフトコンタクトレンズの通過は阻止する通液孔が設けられている覆蓋部材とを備え、前記容器本体の内部に挿入されて、前記液体に浸漬せしめられ得るように構成されていることを特徴とするソフトコンタクトレンズ用収納ケース。
【請求項２】
前記保持部材のレンズ台座部の湾曲凸面が、鏡面とされている請求項１に記載のソフトコンタクトレンズ用収納ケース。
【請求項３】
前記覆蓋部材が、前記ホルダ本体に対して回動可能に設けられている請求項１又は請求項２に記載のソフトコンタクトレンズ用収納ケース。
【請求項４】
前記保持部材と前記覆蓋部材と前記ホルダ本体とが一体の樹脂成形品にて構成されていると共に、該保持部材と該ホルダ本体との間及び該覆蓋部材と該ホルダ本体との間がそれぞれ薄肉部にて連結されて、ヒンジ部が構成されている請求項３に記載のソフトコンタクトレンズ用収納ケース。
【請求項５】
前記保持部材と前記覆蓋部材の何れか一方に爪部が設けられると共に、それらの何れか他方に該爪部に係合し得る係止部が設けられて、それら爪部と係止部との係合によって、該保持部材と該覆蓋部材との重ね合わせ状態が保持されるようになっている請求項１乃至請求項４の何れか１項に記載のソフトコンタクトレンズ用収納ケース。
【請求項６】
前記保持部材の前記覆蓋部材対向側とは反対側の部位に係合突起が設けられており、該保持部材が回動せしめられて、前記キャップ部材の前記容器本体側の端部に到達することにより、前記係合突起が該端部の内周部に係合して、該保持部材が該キャップ部材に係止され得るように構成されている請求項１乃至請求項５の何れか１項に記載のソフトコンタクトレンズ用収納ケース。
【請求項７】
前記覆蓋部材が、前記保持部材のレンズ台座部に対向する部位に、かかるレンズ台座部を収容するに充分な大きさの平底円筒部を有し、該平底円筒部の平底部位に前記通液孔が設けられていると共に、該平底円筒部を該レンズ台座部に重ね合わせることによって、前記レンズ収納室が形成されている請求項１乃至請求項６の何れか１項に記載のソフトコンタクトレンズ用収納ケース。
【請求項８】
前記容器本体が、少なくともその底部を含んで扁平断面形状とされて、横置き可能な構造とされている請求項１乃至請求項７の何れか１項に記載のソフトコンタクトレンズ用収納ケース。
【発明の詳細な説明】
【技術分野】
【０００１】
本発明は、ソフトコンタクトレンズ用収納ケースに係り、特に、ソフトコンタクトレンズの後面（内側）に触れることなく、ケースからの取り出しを安定的に行い得るようにした収納ケースに関するものである。
【背景技術】
【０００２】
従来から、コンタクトレンズ（以下、ＣＬという）は、その装用中を除けば、容器内に収容された液体中に浸漬されて、保存されるようになっている。そして、ＣＬは、かかる容器内において、そこに収容された専用の液剤により、洗浄、消毒、表面濡れ性の改善等の作用（処理）を受け、次回の装用までの間に、レンズとしての機能の維持や回復が行われるようになっている。
【０００３】
ところで、そのような保存容器内にＣＬを収容せしめるに際しては、かかる保存容器内からのＣＬの取り出しを容易と為すと共に、保存中は容器内でのＣＬの動きを制限することにより、安定的に且つ傷等が付かないように保持すべく、レンズ収納室を設けたホルダを用い、そのレンズ収納室内にＣＬを収納した形態において、容器内の液体中に浸漬せしめられるようになっているのであるが、特に、ＣＬの中でも、剛性が低く、変形作用を受け易いソフトコンタクトレンズ（以下、ＳＣＬという）にあっては、それを保持するホルダについて、種々検討が為されており、またレンズ収納室についても、米国特許第３７７０１１３号明細書、ＥＰ公開第２４０９５９５号公報、実用新案登録第３１９３８８５号公報等には、その一つの形態が、明らかにされている。
【０００４】
すなわち、それら明細書乃至は公報に提案されているホルダは、何れも、ＳＣＬの載置される球面形状乃至はドーム形状を呈する表面を有するレンズ台座部と、それを覆蓋するように重ね合わされる丸籠状の球形蓋部とを有し、それらレンズ台座部と球形蓋部とを重ね合わせることにより、それらの間に、所定間隙を形成しつつ、レンズ形状に対応した球形のレンズ収容部を形成して、そこに、目的とするＳＣＬが収納せしめられて、容器内に収容された液体中に浸漬されるようになっている。
【０００５】
しかしながら、上述の如き従来のレンズホルダにあっては、そのレンズ収納室を形成する丸籠状の蓋部には、その内外面を貫通するように、大きな開口部を有する通液孔の複数が設けられて、レンズ収納室に対する液体の流出入が自由に為され得るようになっている一方、ＳＣＬが載置されるドーム状のレンズ台座部の表面にも、多数のスリットや通液孔が設けられてなる構造とされているのであるが、そのような構造のホルダを、容器内の液体から引き上げて、容器外に取り出したときに、レンズ収納室内に収納されているＳＣＬが、レンズ収納室を形成する丸籠状蓋部の内面に付着していたり、ドーム状のレンズ台座部の表面に付着していたりして、常に、レンズ台座部側において、その表面に確実に付着していることがなく、そのためにＳＣＬをレンズ収納室から安定的に取り出し得るものではなかったのである。
【０００６】
そして、そのようなレンズ収納室内に収納されているＳＣＬが、レンズホルダを保存容器から取り出して、その丸籠状蓋部とドーム状のレンズ台座部とを開口乃至は開放させたときに、かかる丸籠状蓋部の内面に付着している場合にあっては、そのようなＳＣＬを指で摘まんで装用する際に、ＳＣＬの後面（内面）に装用者の指が触れることとなり、そのために、指の汚れや細菌がＳＣＬの内面に付着するという問題が惹起される恐れがある他、指先の爪にて、ＳＣＬの内面を傷つける恐れも内在するものであった。
【先行技術文献】
【特許文献】
【０００７】
【特許文献１】米国特許第３７７０１１３号明細書
【特許文献２】ＥＰ公開第２４０９５９５号公報
【特許文献３】実用新案登録第３１９３８８５号公報
【発明の概要】
【発明が解決しようとする課題】
【０００８】
ここにおいて、本発明は、上述せる如き事情を背景にして為されたものであって、その解決課題とするところは、ＳＣＬの装用のために、レンズホルダを収納ケースから取り出して、保持部材と覆蓋部材とを開放させたときに、かかるＳＣＬが、常に、保持部材のドーム状のレンズ台座部上に安定的に付着しているようにしたＳＣＬ用収納ケースを提供することにあり、また、収納ケースに収容された液体からレンズホルダを引き上げて、ＳＣＬを取り出し、装用するに際して、ＳＣＬの内面側に指が触れることなく、従って指の汚れや細菌がＳＣＬ内面に付着する問題を惹起することなく、また指先の爪による損傷を生ぜしめることなく、ＳＣＬの装用が安心して出来るようにしたＳＣＬ用収納ケースを提供することにある。
【課題を解決するための手段】
【０００９】
そして、本発明にあっては、上記せる課題を解決するために、所定の液体が収容される有底筒形状の容器本体と、該容器本体の開口部に着脱可能に取り付けられて、該容器本体の内部に密閉空間を形成し得るキャップ部材と、該キャップ部材の内側に取り付けられ、該キャップ部材から垂下するように延びる、ＳＣＬが収納、保持されるレンズ収納室を備えたレンズホルダとを有するＳＣＬの収納ケースにして、前記レンズホルダが、前記キャップ部材の内側に位置固定に保持されるホルダ本体と、該ホルダ本体に対して回動可能に設けられ、前記ＳＣＬのベースカーブよりも小さな曲率半径を有し且つ平滑な湾曲凸面とされた、該ＳＣＬが載置されるドーム状のレンズ台座部を有する保持部材と、該保持部材に重ね合わされて、該保持部材のレンズ台座部上に前記レンズ収納室を形成すると共に、該レンズ収納室形成部位に前記液体の流通は許容するが、該ＳＣＬの通過は阻止する通液孔が設けられている覆蓋部材とを備え、前記容器本体の内部に挿入されて、前記液体に浸漬せしめられ得るように構成されていることを特徴とするＳＣＬ用収納ケースを、その要旨とするものである。
【００１０】
なお、本発明に従うＳＣＬ用収納ケースの望ましい態様の一つによれば、前記保持部材のレンズ台座部の湾曲凸面は、鏡面とされており、これによって、本発明の特徴が更に有利に発揮されることとなる。
【００１１】
また、本発明の他の望ましい態様によれば、前記覆蓋部材が、前記ホルダ部材に対して回動可能に設けられている。
【００１２】
さらに、本発明にあっては、保持部材と覆蓋部材とホルダ本体とが一体の樹脂成形品にて構成されていると共に、それら保持部材とホルダ本体との間及び覆蓋部材とホルダ本体との間がそれぞれ薄肉部にて連結されて、ヒンジ部が構成されている。
【００１３】
そして、本発明に従うＳＣＬ用収納ケースの望ましい態様の他の一つによれば、前記保持部材と前記覆蓋部材の何れか一方に爪部が設けられると共に、それらの何れか他方に、該爪部に係合し得る係止部が設けられて、それら爪部と係止部との係合によって、該保持部材と該覆蓋部材との重ね合わせ状態が保持されるようになっている。
【００１４】
また、本発明にあっては、望ましくは、前記保持部材の前記覆蓋部材対向側とは反対側の部位に係合突起が設けられており、該保持部材が回動せしめられて、前記キャップ部材の前記容器本体側の端部に到達することにより、前記係合突起が該端部の内周部に係合して、該保持部材が該キャップ部材に係止され得るように構成されている。
【００１５】
さらに、本発明の望ましい態様の他の一つによれば、前記覆蓋部材が、前記保持部材のレンズ台座部に対向する部位に、かかるレンズ台座部を収容するに充分な大きさの平底円筒部を有し、該平底円筒部の平底部位に前記通液孔が設けられていると共に、該平底円筒部を該レンズ台座部に重ね合わせることによって、前記レンズ収納室が形成されるようになっている。
【００１６】
なお、本発明にあっては、前記容器本体が、少なくともその底部を含んで扁平断面形状とされて、横置き可能な構造とされていることが望ましく、これによって、ＳＣＬ用収納ケースの安定性が向上して、使用者の利便性が高められ得ると共に、容器本体内に収容されて、レンズホルダに保持されたＳＣＬが浸漬せしめられる液体の量を、有利に節約することが可能となる。
【発明の効果】
【００１７】
このように、本発明に従うＳＣＬ用収納ケースにあっては、レンズホルダを構成する保持部材における、ＳＣＬが載置されるドーム状のレンズ台座部が、ＳＣＬのベースカーブよりも小さな曲率半径を有し、且つ平滑な湾曲凸面とされてなる表面を有しているところから、重ね合わされた覆蓋部材と保持部材とを開放（開口）させたときに、ＳＣＬは、通液孔が設けられている覆蓋部材における内面よりも、保持部材のドーム状のレンズ台座部の平滑な湾曲凸面に対して、より大きな付着力にて付着するようになるのであり、これによって、ＳＣＬを収納ケースから取り出す際に、ＳＣＬが、より安定的に、保持部材のドーム状のレンズ台座部の平滑な湾曲凸面上に保持され得て、覆蓋部材から有利に離隔せしめられることとなるのである。
【００１８】
従って、そのような保持部材のドーム状レンズ台座部の平滑な湾曲凸面上に付着保持されているＳＣＬは、レンズ内面に触れることなく、レンズ外面を指で摘まむようにして、取り出し、眼に装用することが出来ることとなるところから、指の汚れや細菌をレンズ内面に付着させて、眼の中に持ち込むような問題が、効果的に回避され得ることとなる他、装用者の指先の爪にて、レンズ内面を傷つけるような問題も、悉く回避され得ることとなったのである。
【００１９】
しかも、ドーム状のレンズ台座部の平滑な湾曲凸面には、開口穴やスリット等が全く設けられていないところから、汚れの付着や細菌の繁殖の問題も有利に防止され得ることとなるのであり、特に、そのような特徴は、かかる湾曲凸面が鏡面とされていることによって、より一層有利に発揮され得るものであり、更に、そのような鏡面の採用は、前記したＳＣＬの湾曲凸面への付着力をより一層高め得ることともなるものである。
【図面の簡単な説明】
【００２０】
【図１】本発明に従うＳＣＬ用収納ケースの一例を示す説明図であって、（ａ）は、正面説明図であり、（ｂ）は、（ａ）におけるＡ−Ａ断面説明図である。
【図２】図１に示されるＳＣＬ用収納ケースにおいて、容器本体からキャップを取り外した形態を示す斜視説明図である。
【図３】図２において取り外されたキャップに取り付けられてなるレンズホルダからのＳＣＬの取出し形態を示す説明図であって、（ａ）は、レンズホルダを構成する保持部材と覆蓋部材とが重ね合わされて、レンズ収納室内にＳＣＬが収納せしめられてなる形態を示す斜視説明図であり、（ｂ）は、そのようなレンズホルダを構成する保持部材と覆蓋部材とが離隔されて、その重ね合わせ形態が解消され、レンズ収納室が開放されてなる形態を示す斜視説明図である。
【図４】図１に示されるＳＣＬ用収納ケースを構成する容器本体の説明図であって、（ａ）は、その正面説明図、（ｂ）は、その右側面説明図、（ｃ）は、その平面説明図、（ｄ）は、その底面説明図、（ｅ）は、（ｂ）におけるＢ−Ｂ断面説明図である。
【図５】図１に示されるＳＣＬ用収納ケースを構成するキャップの説明図であって、（ａ）は、その斜視説明図、（ｂ）は、その正面説明図、（ｃ）は、（ｂ）におけるＣ−Ｃ断面説明図である。
【図６】図１に示されるＳＣＬ用収納ケースを構成するレンズホルダの説明図であって、（ａ）は、そのようなレンズホルダを構成する保持部材と覆蓋部材との重ね合わせ状態を示す斜視説明図であり、（ｂ）は、そのようなレンズホルダを構成する保持部材と覆蓋部材との重ね合わせ状態を解消して、レンズ収納室を開放してなる形態を示す斜視説明図である。
【図７】図６に示されるレンズホルダの詳細を示す説明図であって、（ａ）は、その平面説明図、（ｂ）は、その正面説明図、（ｃ）は、その左側面説明図、（ｄ）は、その右側面説明図、（ｅ）は、（ａ）におけるＤ−Ｄ断面説明図である。
【図８】図３（ｂ）に示される、レンズホルダを構成する保持部材と覆蓋部材の重ね合わせ状態を解除して、レンズ収納室を開放した形態において、レンズ台座部からＳＣＬを取り出す状態を示す斜視説明図である。
【図９】図３（ｂ）において、レンズホルダを構成する保持部材がキャップの内周縁部に係合せしめられてなる形態を示す説明図である。
【図１０】図１に示されるＳＣＬ用収納ケースを横置き形態において載置してなる状態を示す斜視説明図である。
【発明を実施するための形態】
【００２１】
以下に、本発明の構成を更に具体的に明らかにするために、本発明の代表的な実施形態について、図面に基づいて、詳細に説明することとする。
【００２２】
先ず、図１には、本発明に従うＳＣＬ用収納ケースの一例に係るものの正面図とその縦断面図が、概略的に示されている。そこにおいて、ＳＣＬ用収納ケース１０は、所定の液体が収容される有底筒形状の容器本体１２と、この容器本体１２の開口部に、螺合によって液密に且つ着脱可能に取り付けられて、かかる容器本体１２の内部に密閉空間を形成し得るキャップ１４と、このキャップ１４の内側に取り付けられ、かかるキャップ１４から垂下するように延びる、容器本体１２内に挿入されるレンズホルダ１６とから構成されており、また、そのようなレンズホルダ１６には、左右のＳＣＬ１８，１８をそれぞれ収納し、保持する２つのレンズ収納室２０，２０が、レンズホルダ１６の長手方向に隣接するようにして形成されている。なお、容器本体１２内に収容される液体には、浸漬されるＳＣＬ１８に対して、洗浄、消毒、表面濡れ性の改善等の作用を為す、従来と同様な液体が、そのまま、用いられることとなる。
【００２３】
そして、かかるＳＣＬ用収納ケース１０内に保持されたＳＣＬ１８は、図２に示されるように、容器本体１２からキャップ１４が螺脱せしめられることにより、浸漬液体から引き上げられた後、取り出されることとなるのである。具体的には、レンズホルダ１６が取り付けられたキャップ１４は、容器本体１２から取り外された後、図３（ａ）に示される如く、適当な載置面に対して、キャップ１４の上面を下にして、レンズホルダ１６が直立するようにして載置され、更にそのようなレンズホルダ１６を構成する保持部材２２と覆蓋部材２４とが、図３（ｂ）に示されるように、その重ね合わせ状態を解除されて、レンズ収納室２０が開放されることにより、それぞれのレンズ収納室２０から、左右のＳＣＬ１８，１８が取り出されるようになっているのである。
【００２４】
ところで、かくの如きＳＣＬ用収容ケース１０を構成する容器本体１２は、図４（ａ）〜（ｅ）に示される如く、キャップ１４が螺合せしめられる開口部位を除く、全体が、角部を湾曲部としてなる矩形の扁平断面形状とされていると共に、その高さ方向の中央部位が最も筒内側に凹陥した弓形形状において形成されており、更に、その開口部の外周には、キャップ１４の螺合のための外側ネジ部１２ａが形成されている。また、この容器本体１２の内部には、その外形形状と同様な内部空間２６が形成されている。なお、このような容器本体１２は、ポリエチレン、ポリプロピレン、ポリカーボネート等の公知の樹脂材料を用いて、従来と同様にして、成形して得られたものである。
【００２５】
また、容器本体１２の上部開口部外周の外側ネジ部１２ａに螺合せしめられて、かかる上部開口部を閉塞するキャップ１４は、図５（ａ）〜（ｃ）に示される如く、円盤状の天板部１４ａの外周部から所定高さ垂下する外周筒部１４ｂを有し、この外周筒部１４ｂの内周面に設けられた内側ネジ部１４ｃが、容器本体１２の上部開口部の外周部に設けられた外側ネジ部１２ａに螺合せしめられることによって、容器本体１２の上部開口部が、液密に閉塞せしめられるようになっている。更に、かかるキャップ１４の天板部１４ａの内面（下面）の中央部に、外周筒部１４ｂと略同じ高さにおいて、嵌合筒部２８が一体的に設けられていると共に、この嵌合筒部２８の内周面に適数本（ここでは３本）のリング状凹所２８ａが、軸方向に所定距離を隔てて設けられている。そして、このキャップ１４に設けられた嵌合筒部２８に対して、後述するレンズホルダ１６のホルダ本体が嵌合固定されることにより、図１〜図３に示される如く、キャップ１４の内側にレンズホルダ１６が立設されてなる形態において取り付けられるようになっているのである。なお、このキャップ１４にあっても、容器本体１２と同様に、樹脂成形品にて構成されている。
【００２６】
さらに、上記した容器本体１２とキャップ１４と共に、ＳＣＬ用収納ケース１０を構成し、収納されるべきＳＣＬ１８を保持するレンズホルダ１６は、図６（ａ）に示されるように、保持部材２２と覆蓋部材２４とが折り畳んで重ね合わされた形態を採り得るように構成されている一方、図６（ｂ）に示されるように、それら保持部材２２と覆蓋部材２４とが１８０度展開されて、その重ね合わされてなる形態から開放された形態を取り得るような構造において、構成されている。
【００２７】
具体的には、レンズホルダ１６は、図７（ａ）〜（ｅ）に明らかにされているように、キャップ１４の嵌合筒部２８に取り付けられるホルダ本体３０の両側に、薄肉のヒンジ部３２，３２を介して、保持部材２２と覆蓋部材２４とが、それぞれ、一体的に連結せしめられてなる構造を有しており、容器本体１２やキャップ１４と同様な樹脂材料を用いた一体の樹脂成形品にて構成されているのである。そこにおいて、ホルダ本体３０は、対応する辺部にヒンジ部３２，３２が形成されてなる矩形板状のベース板３０ａと、その下面中央部に一体形成された所定長さの取付け筒部３０ｂとから構成されていると共に、取付け筒部３０ｂの外周面には、軸方向に所定間隔を隔てて、適数本（ここでは３本）のリング状凸部３０ｃが形成されている。そして、この取付け筒部３０ｂが、図１（ｂ）に示される如く、キャップ１４の内面に設けた嵌合筒部２８内に嵌め込まれて、それらリング状凸部３０ｃが嵌合筒部２８内周面のリング状凹所２８ａに嵌まり込むことにより、位置固定に保持されることとなり、これにより、ホルダ本体３０が、ひいてはレンズホルダ１６全体が、嵌合筒部２８、従って取付け筒部３０ｂの軸回りに、自由に回動可能に保持されるようになっているのである。
【００２８】
また、保持部材２２は、長手平板状のベース板を備え、その一方の端部が、ホルダ本体３０の対向する辺部の一方に、薄肉のヒンジ部３２を介して連結されて、一体的な構造とされている。そして、保持部材２２には、かかるベース板の長手方向に、左右のＳＣＬ１８，１８を載置するためのドーム状のレンズ台座部３４，３４が、一体的に形成されていると共に、それらドーム状レンズ台座部３４，３４は、何れも、載置されるＳＣＬ１８のベースカーブ（後面カーブ）よりも小さな曲率半径を有し、且つ通液孔やスリット等が存在せず、凹凸のない平滑な湾曲凸面とされた表面を有するように構成されており、これによって、載置されるＳＣＬに対して、より大きな表面張力乃至は付着力が発生せしめられ得るようになっている。
【００２９】
特に、そのようなドーム状レンズ台座部３４の湾曲凸面は、ＳＣＬ１８の付着をより確実なものとするために、ここでは、鏡面とされているのである。このように、本発明にあっては、かかる湾曲凸面を鏡面とすることが望ましいのであるが、そのような鏡面は、保持部材２２の一体成形に際して、成形型の対応するキャビティ面を鏡面研磨することによって、容易に、同様な鏡面を湾曲凸面に付与することが可能である。勿論、保持部材２２を成形した後、ドーム状レンズ台座部３４の湾曲凸面を鏡面研磨等によって鏡面加工して、鏡面化することも可能であり、公知の各種の手法によって、そのような湾曲凸面の鏡面化を図ることが可能である。
【００３０】
加えて、ドーム状レンズ台座部３４の平滑な湾曲凸面の曲率半径にあっても、そこに載置されるＳＣＬ１８のベースカーブよりも小さな曲率半径において、適宜に選定されるものであるが、一般的に、ＳＣＬ１８のベースカーブの曲率半径の７０％程度以上、好ましくは８０〜９０％程度の曲率半径の値とされ、具体的には５ｍｍ〜８ｍｍの範囲内において、適宜に選定され、ここでは、７．５ｍｍの曲率半径が採用されている。
【００３１】
そして、かかる保持部材２２の先端部には、覆蓋部材２４との重ね合わせ状態を保持するためのロック機構を構成するカギ形の係止片３６が、保持部材２２の板状部から立ち上がるようにして、一体的に設けられている。また、保持部材２２の板状部（ベース）の覆蓋部材２４対向側とは反対側の部位（面）には、二つの係合突起３８，３８が設けられており、図３（ｂ）に示される如く、保持部材２２が、水平方向にまで倒伏するように回動せしめられることにより、係合突起３８がキャップ１４の内周部に係合させられて、保持部材２２がキャップ１４に係止され得るようになっている。
【００３２】
なお、それぞれのドーム状レンズ台座部３４，３４の周りには、それらを取り囲むように、レンズ収納室２０を形成するための高さの低い円形壁３５が、それぞれ、設けられており、それら円形壁３５，３５が連設されてなる形態とされている。
【００３３】
一方、覆蓋部材２４には、図７（ａ）〜（ｅ）から明らかなように、その長手平板状のベース板に対して、保持部材２２に形成された円形壁３５に対応する径を有する平底円筒部４０の二つが、連設して設けられており、かかる覆蓋部材２４と保持部材２２とが、それぞれのヒンジ部３２，３２の部位において回動せしめられて、重ね合わされたときに、平底円筒部４０が、保持部材２２のドーム状レンズ台座部３４に対向する部位に位置するように、そしてドーム状レンズ台座部３４を収容するに充分な大きさにおいて、配設されているのである。
【００３４】
しかも、そのような平底円筒部４０の平底部位には、図６（ａ）や図７（ａ）等から明らかな如く、比較的大きな中央孔４２ａとその周りに位置する扇形台形形状を呈する周孔４２ｂの６個とからなる通液孔４２が、設けられており、保持部材２２と覆蓋部材２４とが重ね合わされて、円形壁３５と平底円筒部４０とが、それらの間でのＳＣＬ１８の挟み込みを避けるべく、所定間隙（０．１〜１ｍｍ程度）を隔てて対向配置せしめられるようになっている。そして、それによって形成される、図１（ｂ）に示されるレンズ収納室２０に対し、容器本体１２に収容されている液体が、そのような通液孔４２を通じて、自由に流出入し得るようになっている。なお、レンズ収納室２０内に収納、保持されているＳＣＬ１８が、外部に抜け出さないように、通液孔４２（４２ａ，４２ｂ）の大きさが設定されていることは勿論、円形壁３５と平底円筒部４０との間の突き合わせ部位の隙間も、そのようなＳＣＬ１８の通過が阻止され得るような間隙となっている。
【００３５】
さらに、かかる覆蓋部材２４の先端部、換言すればホルダ本体３０連結側とは反対側の部位には、図７（ｅ）に拡大して示されているように、爪部４４が設けられており、覆蓋部材２４と保持部材２２とがそれぞれ回動せしめられて、図６（ａ）に示される如く重ね合わされたときに、かかる爪部４４が、保持部材２２の先端部に設けられた係止片３６に対して係合して、それら覆蓋部材２４と保持部材２２とを図示の如き重ね合わせ状態に保持するためのロック機構を、構成するようになっている。
【００３６】
従って、かくの如き構成のＳＣＬ用収納ケース１０において、そこに収納、保持されているＳＣＬ１８を、装用のために取り出すに際しては、容器本体１２に対して、キャップ１４を回動させることにより、かかるキャップ１４を、それに取り付けられたレンズホルダ１６と共に、図２に示される如く、取り出した後、図３（ａ）及び（ｂ）に示されるように、レンズホルダ１６を直立させてなる形態において、キャップ１４の上面が下になるようにして載置し、そして、ロック機構を構成する係止片３６と爪部４４との係合を解除せしめて、保持部材２２と覆蓋部材２４とが、そのヒンジ部３２，３２において回動せしめられることによって、それらの重ね合わせ形態が解除され、レンズ収納室２０が開放せしめられることとなる。そのとき、そこに収容されているＳＣＬ１８は、レンズ収納室２０を形成する平底円筒部４０よりも、保持部材２２のドーム状レンズ台座部３４には，通液孔やスリット等が何等設けられておらず、平滑な湾曲凸面のレンズ台座部とされていると共に、ＳＣＬ１８のベースカーブよりも小さな曲率半径となる湾曲凸面からなるレンズ台座部として構成されているところから、ＳＣＬ１８は、確実に且つ安定的に、ドーム状レンズ台座部３４側に付着するようになるのである。
【００３７】
そして、図３（ｂ）に示される如く、保持部材２２が回動せしめられて、水平方向に位置せしめられてなる状態において、ドーム状レンズ台座部３４上に付着しているＳＣＬ１８は、図８に示される如く、そのレンズ外面を指先で優しく摘まむようにして、容易に取り出され得て、目的とする眼に装用することが可能となるために、ＳＣＬ１８の取り出しに際して、装用眼に直接接触するレンズ後面（内面）には、指が触れることがなく、そのために、指に付いた汚れや細菌にてレンズ後面が汚染される恐れもなく、装用することが可能となった他、指先の爪にてレンズ後面を損傷したりする問題も、悉く解消され得ることとなるのである。
【００３８】
しかも、ＳＣＬ１８が載置される保持部材２２のドーム状レンズ台座部３４には、開口穴やスリット等が存在しない平滑な湾曲凸面とされているところから、汚れの付着や細菌の繁殖が効果的に阻止され得ることとなり、以て、ＳＣＬ１８の収納・保持中の安全性乃至は清潔性をより一層高め得る特徴が発揮されることとなる。特に、そのような作用乃至は効果は、ドーム状レンズ台座部３４の湾曲凸面が鏡面とされていることによって、より一層有利に発揮せしめられ得るのである。
【００３９】
なお、ここでは、図３（ｂ）に示される如く、保持部材２２を回動させて、水平方向に倒したときに、かかる保持部材２２のベース板の裏側、換言すれば覆蓋部材２４対向側とは反対側の部位に、二つの係合突起３８，３８が設けられているところから、それら係合突起３８，３８が、図９に示される如く（但し、ここでは、保持部材２２は、その輪郭線を仮想線として示されており、二つの係合突起３８，３８のみが実線にて示されている。）、キャップ１４の外周筒部１４ｂの開口部内周面に係合せしめられて、その姿勢が保持され得るようになっているのである。そのために、覆蓋部材２４との間の開放間隙を大きく取ることが出来ることとなり、以て、ドーム状レンズ台座部３４に対するＳＣＬ１８の取り出しや、載置に際しての操作性が、更に有利に向上せしめられ得ることとなったのである。
【００４０】
また、上述の如きＳＣＬ用収納ケース１０にあっては、図２や図４から明らかな如く、容器本体１２が、少なくともその底部において、丸角矩形形態の扁平断面形状とされているところから、図１に示される如く、容器本体１２が直立して、縦方向となるように載置される縦置き形態において載置される他、図１０に示されるように、水平方向に寝かした状態の横置き形態において載置することも可能とされており、これによって、ＳＣＬ用収納ケース１０の安定性が向上して、使用者の利便性が有利に高められ得ると共に、ＳＣＬ１８が浸漬されるべき液体の容器本体１２内への収容量を、有利に低減せしめ得る利点がある。けだし、ＳＣＬ用収納ケース１０が、その容器本体１２において、図示の如く、少なくともその底部を含んで扁平断面形状とされていることにより、円形断面形状を採用する場合に比べて、必然的に、容器本体１２内に収容される液体量が、有利に低減され得ることとなるのである。
【００４１】
ところで、上述の如きＳＣＬ用収納ケース１０内にＳＣＬ１８を収容、保持せしめるに際しては、上記したＳＣＬ１８の取り出しの場合とは逆の工程が採用されるところであって、例えば、図３（ｂ）に示される如き、保持部材２２を水平方向に倒してなる形態において、ドーム状レンズ台座部３４の湾曲凸面上に、装用者の眼から取り外した左右のＳＣＬ１８，１８を、それぞれ載置した後、保持部材２２と覆蓋部材２４とを回動させて、それらを、図３（ａ）に示される如く、重ね合わせて、係止片３６に爪部４４を係合せしめることにより、それらの重ね合わせ状態をロックした後、それら重ね合わされた保持部材２２と覆蓋部材２４とから構成されるレンズホルダ１６部位が、容器本体１２内に挿入されて、所定の液体に浸漬せしめられてなる形態において、次回の装用機会まで保持乃至は保存されることとなる。
【００４２】
そして、このようにして、レンズホルダ１６における保持部材２２と覆蓋部材２４との重ね合わせによって形成されるレンズ収納室２０内に、ＳＣＬ１８を収容した形態において、容器本体１２内の液体中に浸漬すると、ドーム状レンズ台座部３４上に載置されたＳＣＬ１８は、かかるレンズ台座部３４の湾曲凸面の曲率半径が、ＳＣＬ１８のベースカーブよりも小さくされているところから、ＳＣＬ１８との間には、液体が通う充分なクリアランスが存在しており、それ故に、ＳＣＬ１８の後面（内面）には、充分に液体が回り込むこととなり、更にＳＣＬ１８は、レンズ収納室２０内において、浮き上がって浮遊するようになるところから、かかるＳＣＬ１８は、その内外面共に、容器本体１２内に収容された液体の作用を充分に受け、例えば、洗浄、消毒、表面濡れ性の改善等の処理が有効に施され得ることとなるのである。
【００４３】
以上、本発明の代表的な実施形態について詳述してきたが、それは、あくまでも、例示に過ぎないものであって、本発明は、そのような実施形態に係る具体的な記述によって、何等限定的に解釈されるものではないことが、理解されるべきである。
【００４４】
例えば、上記の実施形態においては、保持部材２２の背部に設けられた二つの係合突起３８，３８は操作性の向上のために設けられたものであるが、その個数は、適宜に選定されるところであって、一つであっても、三つ以上であっても、何等差支えなく、更には、そのような係合突起３８を設けない構造とすることも可能である。
【００４５】
また、保持部材２２や覆蓋部材２４を回動可能とするために、ここでは、ホルダ本体３０に対して、それら保持部材２２及び覆蓋部材２４が、薄肉のヒンジ部３２，３２にて、一体的に連結されてなる構造が採用されているのであるが、従来から公知の各種の回動構造、例えば、ホルダ本体に対して、別体の保持部材や覆蓋部材を軸着し、回動可能とした構造等を、任意に採用することが可能である。なお、覆蓋部材２４の回動は、操作性の観点からして、望ましいものではあるが、必ずしも回動可能な構造とされている必要もないのである。
【００４６】
さらに、保持部材２２のドーム状レンズ台座部３４の周りに設けられた円形壁３５は、ドーム状レンズ台座部３４上にＳＣＬ１８を載置して、覆蓋部材２４を重ね合わせ、その平底円筒部４０との間において、レンズ収納室２０を形成する際に、ＳＣＬ１８の挟み込みを回避する上において、有効なものであるが、勿論、そのような円形壁３５を設けることなく、保持部材２２の平坦な板面に対して、覆蓋部材２４の平底円筒部４０が載置されるようにして、レンズ収納室２０が形成されるようにしても、何等差支えない。
【００４７】
加えて、容器本体１２を、例示の如き扁平断面形状とする他、一般的な円筒形状とすることも可能であることは、勿論である。
【００４８】
その他、一々列挙はしないが、本発明は、当業者の知識に基づいて、種々なる変更、修正、改良等を加えた態様において実施され得るものであり、更に、そのような実施の態様が、本発明の趣旨を逸脱しない限りにおいて、何れも、本発明の範疇に属するものであることは、言うまでもないところである。
【符号の説明】
【００４９】
１０    ソフトコンタクトレンズ用収納ケース
１２    容器本体                      １２ａ  外側ネジ部
１４    キャップ                      １４ａ  天板部
１４ｂ  外周筒部                      １４ｃ  内側ネジ部
１６    レンズホルダ                  １８    ソフトコンタクトレンズ
２０    レンズ収納室                  ２２    保持部材
２４    覆蓋部材                      ２６    内部空間
２８    嵌合筒部                      ２８ａ  リング状凹所
３０    ホルダ本体                    ３０ａ  ベース板
３０ｂ  取付け筒部                    ３０ｃ  リング状凸部
３２    ヒンジ部                      ３４    レンズ台座部
３５    円形壁                        ３６    係止片
３８    係合突起                      ４０    平底円筒部
４２    通液孔                        ４２ａ  中央孔
４２ｂ  周孔                          ４４    爪部
【図１】
2018068871.tif 000003
【図２】
2018068871.tif 000004
【図３】
2018068871.tif 000005
【図４】
2018068871.tif 000006
【図５】
2018068871.tif 000007
【図６】
2018068871.tif 000008
【図７】
2018068871.tif 000009
【図８】
2018068871.tif 000010
【図９】
2018068871.tif 000011
【図１０】
2018068871.tif 000012